(57)【要約】【課題】  鋏み部による挟持・解放動作を確実に行わせることを可能としながら製造を容易化して安価に供することを課題とする。【解決手段】  一対のバネ性を有する柄扞１Ａ、１Ｂの把持操作によりその交点を支点として先端の鋏み部３、３が開閉し、把持時に鋏み部を柄扞のバネ性に抗して閉じ状態に維持する係止手段を備えた医療用鋏み具であって、上記係止手段１０は、一方の柄扞１Ａの内面側に基端が固着され自由端の一側部に突片１２が、自由端の他側部に鋭角に屈曲された係止爪１３が設けられた弧状に湾曲するバネ部片１４と、他方の柄扞１Ｂの内面側に設けられ柄扞１Ａ、１Ｂの把持によりバネ部片１４の突片１２が潜り込むガイド部１５と、前記鋏み部３、３の閉じ時に前記係止爪１３が係合する係止溝１６とで構成したことにある。【選択図】  図１
2006212280.tif 000002
【特許請求の範囲】
【請求項１】
一対のバネ性を有する柄扞の把持操作によりその交点を支点として柄扞先端の鋏み部が開閉自在とされ、把持時に前記鋏み部を柄扞のバネ性に抗して閉じ状態に維持するための係止手段を備えた医療用鋏み具において、
前記係止手段は、一方の柄扞の内面側に基端が固着され自由端の一側部に突片が、自由端の他側部に鋭角に屈曲された係止爪がそれぞれ設けられた弧状に湾曲するバネ部片と、他方の柄扞の内面側に設けられ柄扞の把持により前記バネ部片の突片が潜り込むガイド部と、前記鋏み部の閉じ時に前記バネ部片の係止爪が係合する係止溝とを具有し、柄扞の把持により前記バネ部片の自由端が他側の柄扞側に当ってスライドし、その突片がガイド部の下に進入したのちその係止爪が前記係止溝に嵌入して鋏み部の閉状態を維持し、再度柄扞を把持することによりバネ部片がさらに撓んでその係止爪が係止溝から脱出し、係止が解かれて鋏み部が開放されるようにしたことを特徴とする医療用鋏み具。
【請求項２】
前記ガイド部は、前記バネ部片の自由端の突片が進入する側が高く、出側が低くなるよう傾斜した片屋根構造とされている請求項１記載の医療用鋏み具。
【請求項３】
前記ガイド部および係止溝が柄扞の内面に固着されるベースに設けられている請求項１または２記載の医療用鋏み具。
【請求項４】
前記ガイド部に対し前記バネ部片の基端側の位置に柱体が立設され、この柱体は柄扞を把持して前記バネ部片の係止爪を係止溝から外す際に該バネ部片に当接してこれを押し上げて前記係止爪を係止溝から強制的に脱出させ得る高さを有している請求項１または２記載の医療用鋏み具。
【請求項５】
前記柱体がベース上に立設されている請求項４記載の医療用鋏み具。
【発明の詳細な説明】
【技術分野】
【０００１】
本発明は医療用鋏み具に関する。
【背景技術】
【０００２】
医療器具として、例えば手術後の縫合時における針を持つ持針器と称される鋏み具がある。この鋏み具は、交差部が軸止めされた一対の柄部を握ることにより先端の鋏み部が閉じて針を挟持した状態を保ち、この挟持状態を係止手段により維持し、再び柄部を握ることにより係止手段が解脱されて針の挟持を解くようになっている。これは持針器に限らず手術用の鋏み具（鉗子）においても同様な構成を有している。
【０００３】
従来の上記類の鋏み具は、図１１に示すようにバネ性を有する一対の柄扞１Ａ、１Ｂの交差部が軸２により枢支され、柄扞１Ａ、１Ｂの軸２より先端側が鋏み部３、３、後端が係着部４により係着されていて、柄扞１Ａ、１Ｂを握ることにより鋏み部３、３が閉じ、握りを解くことにより鋏み部３、３が開らくように構成されている。
【０００４】
上記鋏み部３、３の閉じ状態を維持するための係止手段５は、図１１にみられるように、各柄扞１Ａ、１Ｂの内面側に位相を異らせて固着される係止扞６Ａ、６Ｂを有し、これら係止扞６Ａ、６Ｂは、一方の係止扞６Ａの後端側、他方の係止扞６Ｂの前端側にそれぞれバネ性を有する係合部７Ａ、７Ｂが形成されている。
【０００５】
これら係合部７Ａ、７Ｂは互に係着自在とされるもので、図１３Ｂ、図１４Ｂに拡大断面図を示すように、一方の係合部７Ａに下向きの係合段部７Ｃが形成され、他方の係合部７Ｂは上記係合段部７Ｃに係脱し得る偏平形状に形成されており、柄扞１Ａ、１Ｂを握ることにより図１５に示すように係合部７Ａがルートａを通り係合部７Ｂにそってこれを乗り越えるとき同図に実線で示しているように係合位置へ至って係合段部７Ｃに係合し、解脱時には係合部７Ｂの反対側からルートｂを通って元の位置へ戻るようになっている。したがって係合への往路と、解脱後の復路とは異るルートａ、ｂを通る。
【０００６】
上記従来の係止手段５は、これを構成する係止扞６Ａ、６Ｂの一端にバネ性を与えるとともに断面形状を特殊な形状に加工する必要があるため、その製造に著しく多くの工程を必要とする。
【０００７】
すなわち従来から用いられている係止扞６Ａ、６Ｂは、厚さ４．０ｍｍの板材をスライス加工したのち仕上げ加工し、熱処理を施したのち柄扞１Ａ、１Ｂへの取付部６Ｄ、６Ｅの加工を行い、さらに係合部７Ａ、７Ｂの研摩加工を行って電解処理するという、極めて繁雑な工程を経て形成されている。
【０００８】
そのため製作費が嵩み、勢い鋏み具が高価なものとなる。
【０００９】
また、鋏み具の使用に際しては、係止扞６Ａ、６Ｂの係合部７Ａ、７Ｂを係合させるのに係合部７Ａが係合部７Ｂを乗り越える際に係合せずに通過してしまうことを防ぐため、かなりの操作要領を必要とし、確実な係止状態を得ることおよび係止を解く操作に熟練を要することになって、使い勝手に難点があった。
【００１０】
上記の点を解決する手段を示す文献は見当らない。
【発明の開示】
【発明が解決しようとする課題】
【００１１】
本発明は、係止手段の構成を簡易化し、その製造を容易として安価に提供することを可能としながら、熟練を要することなく確実な係止（鋏み部による挟み状態）と係止の解除とを行わせることを可能とする医療用鋏み具を提供することを課題としてなされたものである。
【課題を解決するための手段】
【００１２】
上記課題を解決する手段として本発明は、一対のバネ性を有する柄扞の把持操作によりその交点を支点として柄扞先端の鋏み部が開閉自在とされ、把持時に前記鋏み部を柄扞のバネ性に抗して閉じ状態に維持するための係止手段を備えた医療用鋏み具において、前記係止手段は、一方の柄扞の内面側に基端が固着され自由端の一側部に突片が、自由端の他側部に鋭角に屈曲された係止爪がそれぞれ設けられた弧状に湾曲するバネ部片と、他方の柄扞の内面側に設けられ柄扞の把持により前記バネ部片の突片が潜り込むガイド部と、前記鋏み部の閉じ時に前記バネ部片の係止爪が係合する係止溝とを具有し、柄扞の把持により前記バネ部片の自由端が他側の柄扞側に当ってスライドし、その突片がガイド部の下に進入したのちその係止爪が前記係止溝に嵌入して鋏み部の閉状態を維持し、再度柄扞を把持することによりバネ部片がさらに撓んでその係止爪が係止溝から脱出し、係止が解かれて鋏み部が開放されるようにしたことにある。
【００１３】
前記ガイド部は、前記バネ部片の自由端の突片が進入する側が高く、出側が低くなる方向に傾斜した片屋根構造とすることが好ましい。
【００１４】
また前記ガイド部および係止溝を柄扞の内面側に固着するベースに設けることが製造を容易とするうえで望ましい。
【００１５】
前記ガイド部に対し前記バネ部片の基端側の位置に柱体を立設し、この柱体の高さを、柄扞を把持して前記バネ部片の係止爪を係止溝から外す際に該バネ部片に当接してこれを押し上げ、前記係止爪を係止溝から強制的に脱出させるようにすることができる。
【００１６】
この場合も、前記柱体を前記ガイド部および係止溝を設けたベース上に立設することが好ましい。
【発明の効果】
【００１７】
本発明によれば、鋏み部の閉じ状態を維持するための係止手段を構成するバネ部片は板バネ材で構成することができるので、突片および係止爪を含んでもプレス加工で一挙に製造することができ、またガイド部および係止溝は単純な加工で形成することができるので、これらにより係止手段を容易に製造することが可能となって著しく安価に得ることができる。
【００１８】
一方、係止手段としての機能の面においても、柄扞の把持によるバネ部片の撓みを利用して閉じ状態を保つように係着させるので、何ら熟練を要することなく確実な係止動作および解除動作をなさしめることができる。
【発明を実施するための最良の形態】
【００１９】
図１は本発明による医療用鋏み具の一実施形態の斜視図を示しており、図１１に示した在来の鋏み具と共通する基本構成部分はこれと同一符号を用いて説明する。
【００２０】
鋏み具を構成する一対の柄扞１Ａ、１Ｂは、その交点が軸２により枢支され、この軸２より先端側が鋏み部３、３とされており、柄扞１Ａ、１Ｂの後半部１Ｃ、１Ｄは薄い板バネ状とされていて、その後端が交差して係着され、無負荷時（柄扞１Ａ、１Ｂを把持していないとき）にはそのバネ性により鋏み部３、３が開らいた状態におかれるようになっている。
【００２１】
前記鋏み部３、３間に縫合用針等を挟持したときその状態を保つための本発明における係止手段１０は、一方の柄扞１Ａの内面側で前記軸２側に基端がピン１１により固着され自由端の一側に突片１２が、同他側に鋭角に屈曲された係止爪１３がそれぞれ設けられた弧状に湾曲する板バネ材からなるバネ部片１４と、他方の柄扞１Ｂの内面側に設けられ柄扞１Ａ、１Ｂの把持により前記バネ部片１４の突片１２が潜り込むガイド部１５と、前記鋏み部３、３の閉じ時に前記バネ部片１４の係止爪１３が係合する係止溝１６とで構成されている。
【００２２】
前記ガイド部１５は、前記バネ部片１４の突片１２が進入しやすくするため、その進入側が高く、出側が低くなるよう傾斜した片屋根構造とされている。
【００２３】
図示の例では、これらガイド部１５および係止溝１６をベース１７に設けるようにし、このベース１７を柄扞１Ｂの内面側に固着する構成として一層製造の容易化を図っている。
【００２４】
すなわち図４、図５にバネ部片１４と共に取り出して示すように、ベース１７の一側にガイド部１５の支柱部分１５ａが立設されてその上端にガイド部１５がベース１７の略半幅の領域に張り出すように形成され、このガイド部１５とは反対側でかつ若干柄扞１Ｂの後端寄りの位置に係止溝１６がベース１７の略半幅の領域に切設されており、この係止溝１６は、バネ部片１４の係止爪１３の屈曲角と整合するよう角度θだけ傾斜して形成されている。
【００２５】
次に上記実施形態の作用を説明する。
【００２６】
非挟持状態のときは、図１および図６（Ａ）にみられるように柄扞１Ａ、１Ｂのバネ性により鋏み部３、３が開らいており、このとき係止手段１０のバネ部片１４は反対側の柄扞１Ｂから離反した状態におかれている。
【００２７】
鋏み部３、３間に例えば縫合用針を挟持するときは、鋏み部３、３間に縫合用針を位置させたうえで柄扞１Ａ、１Ｂを握ると、バネ部片１４の自由端がベース１７の上面に接触し、さらに柄扞１Ａ、１Ｂを握って行くとバネ部片１４の自由端の突片１２がガイド部１５の下に潜り込み（図２、図６（Ｂ）示）、以後バネ部片１４はガイド部１５による規制を受けながら徐々に伸展して滑動し（図６（Ｂ）〜（Ｃ））、鋏み部３、３が縫合用針をしっかりと挟持した時点でバネ部片１４の先端の係止爪１３がベース１７の係止溝１６に嵌入する（図３、図６（Ｄ）示）。
【００２８】
これにより柄扞１Ａ、１Ｂの把持を解いても、柄扞１Ａ、１Ｂはバネ部片１４による拘束により閉じ状態が維持され、縫合作業を行うことができる。
【００２９】
縫合用針の挟持を解くときは、再び柄扞１Ａ、１Ｂを握れば、バネ部片１４の自由端がガイド部１５にそってさらに進むのでその係止爪１３が係止溝１６から抜け（図６（Ｄ）示）、そのまま柄扞１Ａ、１Ｂの把持を解けば、バネ部片１４の自由端はガイド部１５の下から抜け出て図１の状態に復帰し、縫合用針の挟持が解かれる。
【００３０】
したがって係止手段１０の係脱動作は柄扞１Ａ、１Ｂの把持に伴うバネ部片１４の自由端の直線移動のみによって行われるので係脱が確実になされ、迅速な鋏み操作およびその解除を行うことができる。特にバネ部片１４の直線移動時にその背後がガイド部１５により規制されるので、バネ部片１４の係止爪１３と柄扞１Ｂ側の係止溝１６との係合が間違いなく行われ、また係合解除もガイド部１５による規制の下に行われるので確実な解除ができ、これらにより縫合用針等の挟持および開放を熟練を要することなく確実に行うことが可能となる。
【００３１】
図７〜図１０は、係止手段１０のバネ部片１４の係止爪１３と係止溝１６との係脱作用をさらに確実になさしめるための付加機構を設けた実施形態を示すものである。
【００３２】
この実施形態では、前記ベース１７の前記軸２側の端部上に柱体１８が立設され、この柱体１８の上端が前記バネ部片１４の中間位置に当接し得るように構成されている。他の構成に関しては図１〜図６に示した実施形態と同じであるから、対応する部分にはこれと同一符号を付すに留め、重複説明は省略する。
【００３３】
この実施形態において、柄扞１Ａ、１Ｂを把持して鋏み部３、３を閉じるときは、図１の実施形態と同様にバネ部片１４の自由端がベース１７上に接して滑り、ガイド部１５による規制を受けて進み、その係止爪１３が係止溝１６に係合して閉じ状態が維持される。したがって挟持動作時は前述の実施形態と同じ動作となる。
【００３４】
挟持を解くときは、再び柄扞１Ａ、１Ｂを握ると、最先に柱体１８の上端がバネ部片１４に当接してバネ部片１４を相対的に押し上げ（図１０（Ｄ）示）、バネ部片１４の係止爪１３を係止溝１６から外す方向に力が作用して係止爪１３が係止溝１６から抜け出る。
【００３５】
こうして柄扞１Ａ、１Ｂの把持を解けば、柄扞１Ａ、１Ｂのバネ性により鋏み部３、３が開らき、縫合用針の挟持が解かれる。
【００３６】
このように挟持開放の際のバネ部片１４の変位は、柱体１８による押し上げ作用によりガイド部１５が支点となってバネ部片１４を逆方向に反らせるよう変位させることになり、これにより係止爪１３が係止溝１６から外されることになるので、係止爪１３を係止溝１６から確実に抜き外すことができ、１回の把持操作によって間違いなく開放させることができる。
【図面の簡単な説明】
【００３７】
【図１】本発明による医療用鋏み具の一実施形態を示す開放状態時の斜視図。
【図２】図１における係止手段の係止に至る途中の説明図。
【図３】同、係止した状態の説明図。
【図４】（Ａ）、（Ｂ）は、同係止手段の分解斜視図。
【図５】（Ａ）、（Ｂ）は、同じ側面図。
【図６】（Ａ）〜（Ｄ）は係止手段の動作状況を示す説明図。
【図７】本発明における係止手段の他の実施形態を備えた医療用鋏み具の斜視図。
【図８】図７における係止手段の係止に至る途中の説明図。
【図９】同、係止した状態の説明図。
【図１０】（Ａ）〜（Ｄ）は図７における係止手段の動作状況を示す説明図。
【図１１】従来の医療用鋏み具の側面図。
【図１２】同、閉止状態時の側面図。
【図１３】図１１における係止手段の一方の係止扞を示し、（Ａ）は側面図、（Ｂ）は拡大端面図。
【図１４】同、他方の係止扞を示し、（Ａ）は側面図、（Ｂ）は拡大端面図。
【図１５】同、両係止扞の係合および解脱時の動作を示す説明図。
【符号の説明】
【００３８】
１Ａ、１Ｂ  柄扞
２  軸
３  鋏み部
１０  係止手段
１２  突片
１３  係止爪
１４  バネ部片
１５  ガイド部
１６  係止溝
１７  ベース
１８  柱体
【図１】
2006212280.tif 000003
【図２】
2006212280.tif 000004
【図３】
2006212280.tif 000005
【図４】
2006212280.tif 000006
【図５】
2006212280.tif 000007
【図６】
2006212280.tif 000008
【図７】
2006212280.tif 000009
【図８】
2006212280.tif 000010
【図９】
2006212280.tif 000011
【図１０】
2006212280.tif 000012
【図１１】
2006212280.tif 000013
【図１２】
2006212280.tif 000014
【図１３】
2006212280.tif 000015
【図１４】
2006212280.tif 000016
【図１５】
2006212280.tif 000017